(57)【要約】【課題】天板を乗せるこたつにおいて、天板ががたつかず、天板がずれにくいこたつを提供することにある。【解決手段】こたつ蒲団においてこたつ天板裏面に当る上面部分の蒲団厚みを薄くし、薄くした上面部分に一ヶ所以上の穴を配し、やぐら部に配した蒲団固定具にてこたつ蒲団をやぐらに対し固定し、蒲団固定具の穴に天板裏面の突起を着脱可能に挿入することにより、天板のガタツキ、ズレを防止したことを最も主要な特徴とする。【選択図】図１
2007192413.tif 000002
【特許請求の範囲】
【請求項１】
暖房用こたつであって、やぐら部と、天板と、こたつ蒲団とを備え、該こたつ蒲団は、やぐら部に掛けたとき天板が乗る天面部の厚みを薄くしたことを特徴とするこたつ。
【請求項２】
暖房用こたつであって、やぐら部と天板とこたつ蒲団を備え、こたつ蒲団天面部には一ヶ所以上の穴部を配し、該やぐら部にはこたつ蒲団固定部を備え、該天板の裏面には突起部を備えたことを特徴とするこたつ。
【請求項３】
暖房用こたつであって、やぐら部と天板とこたつ蒲団を備え、こたつ蒲団天面部には一ヶ所以上の穴部を配し、該やぐら部にはこたつ蒲団固定部を備え、こたつ蒲団の穴部を通して、該天板とやぐら部の固定手段を備えたことを特徴とするこたつ。
【請求項４】
請求項１から請求項３のいずれか１項に記載のこたつ蒲団。
【請求項５】
請求項１から請求項３のいずれか１項に記載のこたつテーブル。
【発明の詳細な説明】
【技術分野】
【０００１】
本発明は、こたつとこたつ蒲団に関するものである。
【背景技術】
【０００２】
近年のこたつは、胡坐または、足を投げ出した状態で足膝を入れる和式こたつと、いすに腰掛けた状態で足膝を入れる洋式こたつに大別できる。双方において、気候が温暖な時期には食卓テーブル、あるいは座敷机（しっぷく台）であっても、冬季には蒲団を掛け、食卓テーブルこたつ、座敷机こたつとする方法が知られている。
【０００３】
上記こたつは、気候が温暖な時期にテーブルとして使用する際、やぐら部と天板は、やぐら部の裏面より、天板に対し、ボルトなどを使用し固定している。しかし、冬季は、やぐら部の上にこたつ蒲団を乗せ、こたつとしていた。この時、天板はこたつ蒲団の上に置かれているだけとなっていた。このため天板は厚みのあるこたつ蒲団の上で安定せず、天板は横からの加圧によりずれやすくなっていた。
【０００４】
こたつ蒲団のやぐら部対するずれ対策の提案として、特開平６−９４２４６号は、蒲団の一定部分を縫合して箱型状に形成し、やぐら部からこたつ蒲団のずれを防止するこたつ蒲団を紹介している。しかし、こたつ蒲団に対する天板のズレを防止する提案ではない。
【０００５】
従来のこたつ蒲団は、方形の一枚の蒲団であったが、近年のこたつ蒲団は、実開昭６３―２６００９号に提案されたこたつ用掛蒲団のように、やぐら上面を覆う上面部と、上面部の４辺に連設されたスカート部で十字形状を作り、２枚のスカート部間には連結部を配するものが増えてきた。
【０００６】
基本的に、こたつ蒲団にはこたつ内の暖気を保持する目的があるが、天板を乗せるこたつの場合、やぐら上面を覆うこたつ蒲団上面部には、さらに天板を乗せるわけであり、天板とこたつ蒲団上面部による暖気保持機能の重複となっていた。つまり、天板を乗せるこたつの場合、こたつ蒲団の上面部には、スカート部と同程度の暖気保持機能は必要なかった。
【特許文献１】特開平６−９４２４６号公報
【特許文献１】実開昭６３−２６００９号公報
【発明の開示】
【発明が解決しようとする課題】
【０００７】
本発明は上記課題に鑑みてなされたものであり、その目的とするところは、天板を乗せるこたつにおいて、天板ががたつかず、天板がずれにくいこたつを提供することにある。
【課題を解決するための手段】
【０００８】
本発明のこたつは、こたつ蒲団においてこたつ天板裏面に当る上面部分の蒲団厚みを薄くし、薄くした上面部分に一ヶ所以上の穴を配し、やぐら部に配した蒲団固定具にてこたつ蒲団をやぐらに対し固定し、蒲団固定具の穴に天板裏面の突起を着脱可能に挿入することにより、天板のガタツキ、ズレを防止したことを最も主要な特徴とする。
【発明の効果】
【０００９】
本発明のこたつは、こたつ蒲団の上面部を薄くする事により、こたつ天板のガタツキ、ふわふわ感を押え、こたつ蒲団を挟みながらもやぐら部に対し、天板を固定する事により、天板をズレさせない効果がある。
【発明を実施するための最良の形態】
【００１０】
こたつ蒲団の上面部を薄肉の生地にて形成し、上面部には２ヶ所の蒲団穴部を配し、蒲団穴部周囲は、生地の裂けを防止するために補強する。やぐら部には貫通穴を持った突起部を配し、やぐらに配した突起部に対し蒲団穴部を通し、該突起部に対し、蒲団押え具を系合する。その後、天板を乗せ、固定ボルトをやぐら裏面より貫通穴を通し、天板に対し締め付ける。
【実施例１】
【００１１】
本発明の実施形態について詳しく説明する。本実施例でこたつ蒲団は、羽毛蒲団、綿蒲団、毛布、キルティングなど素材を限定する物ではない。
【００１２】
図１は、従来のこたつテーブルの構成を示す斜視図である。同図の１は天板を示し、２はビス穴、３はやぐら、４はビス用穴、５はビス、６は脚である。ビス穴２は天板に配されており、ビス用穴４はやぐらに配されている。
【００１３】
図２は、従来のこたつテーブルとこたつ蒲団と天板の関係を示す断面図である。同図の７はこたつ蒲団である。この時、天板１はこたつ蒲団７の上に置かれているが、こたつ蒲団７の厚みによってふわふわしている。さらに天板１に横方向の力が加わった場合、天板１はこたつ蒲団７表面をすべっていた。
【００１４】
図３および図４は、本発明のこたつ蒲団の実施例ＡおよびＢを示す平面図である。図３および図４の７はこたつ蒲団を示し、１１は天面薄肉部、１２は蒲団穴、１３は穴補強部、１４はスカート連結部である。天面薄肉部１１は、こたつテーブルに掛けた時やぐら３と天板１１との間に挟まれる部分に配している。図に於いて蒲団穴１２は２ヶ所に配しているが、数を限定するものではない。
【００１５】
図５は、本発明のこたつテーブルとこたつ蒲団と天板の関係を示す断面図である。やぐら３と天板１との間に挟まれる天面薄肉部１１を極力薄くし、さらに加圧に対しつぶれにくい素材を使用する事により、天板１のふわふわ感が出ないようになる。ここでは生地までは限定しない。
【００１６】
図６は、本発明の天板ズレ防止機構を追加した実施例を示す斜視図である。図６の２１は位置出し突起を示し、２３は位置規制突起、２４は蒲団押えである。位置規制突起２３はやぐら３に配されている。
【００１７】
図７は、本発明のこたつテーブルにこたつ蒲団を掛けた実施例を示す断面図である。同図の２３は位置規制突起である。やぐら３の上にこたつ蒲団７を掛け、蒲団穴１２を位置規制突起２３に系合した状態を示している。位置規制突起２３はやぐら３に配されている。図７において、位置規制突起２３は、やぐら一体となっているが、別部材としてやぐらに具備する場合もある。
【００１８】
図８は、図７に対し、蒲団押えを系合した状態を示す断面図である。同図の２４は蒲団押え、２５は位置規制突起穴である。位置規制突起２３に対し、蒲団押え２４を着脱可能に系合し穴補強部１３を押える状態を示している。蒲団押え２４は天板１の裏面に固定する場合もある。
【００１９】
図９は、図８に対し、天板を乗せた状態を示す断面図である。同図の２２は突起固定ボスである。位置規制突起２３の位置規制突起穴２５に位置出し突起２１を合わせるように天板１を乗せた状態を示している。位置出し突起２１は天板１の裏面に突起固定ビス２２にて固定している。しかし位置出し突起２１の固定方法はビス固定に限定するものではない。
【００２０】
天板１の横方向のズレは、位置規制突起２３と位置出し突起２１の勘合にて防止できる。さらに位置出し突起２１をやぐら３の裏面方向より固定する事により、天板１をより完全に固定し、ズレを防止できる。
【産業上の利用可能性】
【００２１】
本発明のこたつとこたつ蒲団は、食卓テーブルなどの天板を乗せるこたつに於いて、天板がふわふわすることなく、また、横方向の荷重に対しても天板のずれないこたつを提供できる。
【図面の簡単な説明】
【００２２】
【図１】従来のこたつテーブルの構成を示す斜視図である。
【図２】従来のこたつテーブルとこたつ蒲団と天板の関係を示す断面図である。
【図３】本発明のこたつ蒲団の実施例Ａを示す平面図である。
【図４】本発明のこたつ蒲団の実施例Ｂを示す平面図である。
【図５】本発明のこたつテーブルとこたつ蒲団と天板の関係を示す断面図である。
【図６】本発明の天板ズレ防止機構を追加した実施例を示す斜視図である。
【図７】本発明のこたつテーブルにこたつ蒲団を掛けた実施例を示す断面図である。
【図８】図７に対し、蒲団押えを系合した状態を示す断面図である。
【図９】図８に対し、天板を乗せた状態を示す断面図である。
【符号の説明】
【００２３】
１    天板
２    ビス穴
３    やぐら
４    ビス用穴
５    ビス
６    脚
７    こたつ蒲団
１１  天面薄肉部
１２  蒲団穴
１３  穴補強部
１４  スカート連結部
２１  位置出し突起
２２  突起固定ビス
２３  位置規制突起
２４  蒲団押え
２５  位置規制突起穴
【図１】
2007192413.tif 000003
【図４】
2007192413.tif 000004
【図６】
2007192413.tif 000005
【図７】
2007192413.tif 000006
【図８】
2007192413.tif 000007
【図９】
2007192413.tif 000008
【図２】
2007192413.tif 000009
【図３】
2007192413.tif 000010
【図５】
2007192413.tif 000011